(57)【要約】マルチメディア表示装置へ送信又は放送されたコンテンツを見るユーザのアクセスを制御するシステム及び方法に関する。具体的に、システムは、管理者がマルチメディア表示装置、例えばテレビ受像機での制限を指定することを可能にする。この制限はユーザのアクセスを制限する。制限はテレビ受像機へ又は、プログラム制御に依存してユーザがテレビ受像機を使用することを可能にするユーザキーを有する特定のユーザへ適用され得る。制限は、テレビが表示され得る時又は、どれくらいの時間テレビが時間期間内に表示され得るかを指定することができる。また、制限は、何のサービス（チャネル）が指定される時間の間に表示され得るか又は、どれくらいの時間指定されたサービスが時間期間内に表示され得るかを指定することができる。また、制限は、何のテーマ（イベントの種類）が指定された時間の間に表示され得るか又は、どれくらいの時間指定されたテーマが時間期間内に表示され得るかを指定することができる。システムは、個人の記録装置への制限（コンテンツ又は時間）に従うコンテンツの記録を可能にし、更に、ユーザの年齢、イベント若しくはプログラムの視聴率、又はそれらの組合せに従って観賞アクセスを制限することができる。
2009503917.tif 000002
【特許請求の範囲】
【請求項１】
マルチメディア端末装置を介してマルチメディアコンテンツの観賞の監督制御を提供する方法であって：
観賞者が時間期間内に前記マルチメディア端末を見ることができる時間を制御するための時間制約をインターフェース表示部を介して指定するステップ；
前記時間期間内に前記観賞者が見ることができるコンテンツの観賞コンテンツ制限をインターフェース表示部を介して指定するステップ；
前記マルチメディア端末を介する現在の放送コンテンツへの観賞者のアクセスと、記録された放送コンテンツを記憶する記録装置を介して前記観賞者によって前に記録されたコンテンツへのアクセスとを監視するステップ；及び
前記時間及び観賞コンテンツ制限を犯す前記観賞者の現在の又は記憶された放送コンテンツへのアクセスをブロックするステップ；
を有する方法。
【請求項２】
コンテンツ制限をなされる必要のない如何なる観賞コンテンツのテーマ又はサービスも示す排除リストを定めるステップを更に有する、請求項１記載の方法。
【請求項３】
前記時間制約を指定するステップは、マルチメディア端末が所定の時間期間内に観賞者によって利用され得る認容されたユーザの観賞時間を指定するステップを含む、請求項１記載の方法。
【請求項４】
前記時間制約を指定するステップは、多くの観賞時間が前記所定の時間期間の間で等しく分けられるべきことを指定するステップを含む、請求項３記載の方法。
【請求項５】
前記時間制約を指定するステップは、認容されたコンテンツを見る時間が、現在見られている認容されたプログラムが認容された観賞期間又は時間スロットの時間を超える場合に、延長され得るかどうかを指定するステップを含む、請求項１記載の方法。
【請求項６】
前記時間制約を指定するステップは、マルチメディア端末が観賞者によって利用され得る日と、該日のうちの認容される観賞時間スロットとを指定するステップを含む、請求項１記載の方法。
【請求項７】
前記観賞コンテンツ制限を指定するステップは、指定されたコンテンツテーマが何パーセント見られるかに従って、観賞者が見ることができるコンテンツテーマを指定するステップを含む、請求項１記載の方法。
【請求項８】
観賞者が前記時間制約及びコンテンツ制限に従う最低年齢をインターフェース表示部を介して指定するステップを更に有する、請求項１記載の方法。
【請求項９】
前記観賞コンテンツ制限を指定するステップは、観賞者が前記コンテンツ制限に従う最低のプログラム観賞率を指定するステップを含む、請求項１記載の方法。
【請求項１０】
ユーザが記録装置を介して観賞コンテンツを記録することを可能にする許可をインターフェース表示部を介して指定するステップを更に有する、請求項７記載の方法。
【請求項１１】
観賞者が前記指定されたコンテンツテーマに従って記録されるべき観賞コンテンツを決定することを可能にするステップを更に有する、請求項１０記載の方法。
【請求項１２】
その後の報告の発生のために時間期間にわたる観賞者の観賞アクセスの履歴を保持及び記憶するための許可をインターフェース表示部を介して指定するステップを更に有する、請求項１記載の方法。
【請求項１３】
前記現在の又は記録された放送コンテンツへの観賞者のアクセスを監視するステップは、前記現在の又は記録された放送コンテンツへの観賞者のアクセスを定期的に確認するステップを含む、請求項１記載の方法。
【請求項１４】
前記現在の又は記録された放送コンテンツへの観賞者のアクセスを監視するステップは、他の現在の放送又は記録されたコンテンツへの観賞者のアクセス切り換えに応答して前記放送コンテンツへの観賞者のアクセスを確認するステップを含む、請求項１記載の方法。
【請求項１５】
前記ユーザが観賞コンテンツを記録することを可能にするステップは、宣伝が記録時に前記放送コンテンツから除去されるかどうかを指定する更なるステップを含む、請求項１０記載の方法。
【請求項１６】
マルチメディア端末装置を介してユーザによるコンテンツの観賞を制御する監督制御システムであって：
観賞者が時間期間内に前記マルチメディア端末を見ることができる時間を制御するための時間制約を指定し、且つ、前記時間期間内に前記観賞者が見ることができるコンテンツの観賞コンテンツ制限を指定するユーザ入力命令を受け取る手段；及び
前記マルチメディア端末を介する現在の放送コンテンツへの観賞者のアクセスと、記録された放送コンテンツを記憶する記録装置を介して前記観賞者によって前に記録されたコンテンツへのアクセスとを監視する制御手段であって、前記時間及び観賞コンテンツ制限を犯す前記観賞者の現在の又は記憶された放送コンテンツへのアクセスをブロックする手段を有する制御手段；
を有する監督制御システム。
【請求項１７】
前記指定された時間制約は、マルチメディア端末が所定の時間期間内に観賞者によって利用され得る認容されたユーザの観賞時間を含む、請求項１６記載の監督制御システム。
【請求項１８】
前記指定された時間制約は、現在見られている認容されたプログラムが認容された観賞期間又は時間スロットの時間を超える場合に、認容されたコンテンツの観賞を延長する更なる時間の割り当てを含む、請求項１６記載の監督制御システム。
【請求項１９】
前記指定された時間制約は、マルチメディア端末が観賞者によって利用され得る指定日と、該日のうちの認容される観賞時間スロットとを含む、請求項１６記載の監督制御システム。
【請求項２０】
前記指定された観賞コンテンツ制限は、指定されたコンテンツテーマが何パーセント見られるかに従って、観賞者が見ることができる指定コンテンツテーマを含む、請求項１６記載の監督制御システム。
【請求項２１】
前記ユーザ入力命令を受け取る手段は、観賞者が前記時間制約及びコンテンツ制限に従う最低年齢を指定するユーザ入力命令を更に受け取る、請求項１６記載の監督制御システム。
【請求項２２】
前記ユーザ入力命令を受け取る手段は、ユーザが記録装置を介して観賞コンテンツを記録することを可能にする許可を指定するユーザ入力命令を更に受け取る、請求項２０記載の監督制御システム。
【請求項２３】
観賞者が前記指定されたコンテンツテーマに従って記録されるべき観賞コンテンツを決定することを可能にする手段を更に有する、請求項２２記載の監督制御システム。
【請求項２４】
その後の報告の発生のために時間期間にわたる観賞者の観賞アクセスの履歴を保持及び記憶する手段を更に有する、請求項１６記載の監督制御システム。
【請求項２５】
現在の又は記録された放送コンテンツへの観賞者のアクセスを監視する前記制御手段は、前記現在の又は記録された放送コンテンツへの観賞者のアクセスを定期的に確認する手段を含む、請求項１６記載の監督制御システム。
【請求項２６】
現在の又は記録された放送コンテンツへの観賞者のアクセスを監視する前記制御手段は、現在の放送又は記録されたコンテンツへの観賞者のアクセス変更に応答して前記放送コンテンツへの観賞者のアクセスを確認する手段を含む、請求項１６記載の監督制御システム。
【請求項２７】
前記ユーザが観賞コンテンツを記録することを可能にする手段は、記録時に前記放送コンテンツから宣伝を除去するフィルタ手段を含む、請求項２２記載の方法。
【請求項２８】
離れた場所から前記時間制約及びコンテンツ制限を指定する前記ユーザ入力命令のエントリを可能にするために前記ユーザ入力命令を受け取る手段と通信上結合されるネットワーク接続を更に有する、請求項１６記載の監督制御システム。
【請求項２９】
前記ネットワーク接続は有線又は無線接続を含む、請求項２８記載の監督制御システム。
【請求項３０】
前記ネットワーク接続はパブリック又はプライベートのネットワークを含む、請求項２９記載の監督制御システム。
【請求項３１】
前記マルチメディア端末装置はテレビ受像機を含む、請求項１６記載の監督制御システム。
【請求項３２】
記録された放送コンテンツを記憶する前記記録装置は高密度ディスク記憶媒体を含む、請求項１６記載の監督制御システム。
【請求項３３】
前記記録装置はパーソナルビデオレコーダを含む、請求項１６記載の監督制御システム。
【請求項３４】
マルチメディア端末装置を介してコンテンツの観賞の監視制御を提供する方法であって：
前記マルチメディア端末装置を介して現在のマルチメディアコンテンツ又は記録されたマルチメディアコンテンツにアクセスするよう試みるユーザを認証するステップ；
認証された観賞者が現在の放送プログラムへのアクセスを試みたことに応答して、現在の時間が、その観賞者がマルチメディア端末を見ることができないように制限されるよう前に指定された時間期間内であるかどうかを確認するステップ；
認証された観賞者が現在の放送プログラムへのアクセスを試みたことに更に応答して、前記放送コンテンツ又は記録されたコンテンツが、現在の時間期間内に、その観賞者に関して前に指定された観賞コンテンツ制限に従うかどうかを確認するステップ；及び
前記時間及び観賞コンテンツ制限を犯す前記観賞者の現在の又は記録された放送コンテンツへのアクセスを遮断するか、あるいは、前記観賞者がアクセスしたコンテンツを見ることを可能にするステップ；
を有する方法。
【請求項３５】
所定の割当観賞者時間スロット内に認容された放送イベントを見る場合に、
前記所定の割当観賞者時間スロットの終わりを検出し、前記所定の割当観賞者時間スロットの差し迫った終了を前記観賞者に通知するメッセージを前記マルチメディア端末での表示のために発生させる更なるステップを有する、請求項３４記載の方法。
【請求項３６】
前記所定の割当観賞者時間スロットの差し迫った終了を前記観賞者に通知する前記メッセージを受け取った後、
イベントの残りが割り当てられた時間スロットを超える場合に、前記観賞者が前記イベントの残りを記録することを可能にする更なるステップを有する、請求項３５記載の方法。
【請求項３７】
前記観賞者が後の割当観賞者時間スロット内で前記イベントの残りの記録されたコンテンツを見ることを可能にするステップを更に有する、請求項３６記載の方法。
【発明の詳細な説明】
【技術分野】
【０００１】
本発明は、概して、例えばテレビジョンセットトップボックスをプログラミングすることによる、マルチメディアプログラムへのアクセスの管理に関し、より具体的に、ＨＤＤ／ＤＶＤ／ＶＣＲのような協働する付属装置への限定アクセスを含む指定された時間制限及び／又はコンテンツ制限に従って、あるプログラムへのユーザアクセスを制限する新規なシステム及び方法に関する。このようなシステムは、例えばＤＶＤ、ＴＶ又はセットトップボックスなど、単一要素のみを制御するばかりでなく、むしろ、同時に、かかる装置の全ての同時制御アクセスを可能にする完全な解決法を提供する。
【背景技術】
【０００２】
セットトップボックスにあるプログラミング論理を有する機能及びＪａｖａ（登録商標）ＴＶの出現で、テレビ受像機の使用は、何を、どのように装置が使用されるべきかをプログラミングすることによって、より良く制御され得る。多くの特許文献は、テレビ受像機へのアクセスの制御及びプログラムの観賞の制御について開示する。
【０００３】
米国特許番号５，９６９，７４８は、概して、ユーザがテレビ番組へのアクセスを制御することを可能にするテレビジョンスケジュールシステムについて記載する。
【０００４】
米国特許番号６，０２５，８６９は、概して、ＴＶ、ＶＣＲ、ケーブルＴＶ、衛星ＴＶ、及び／又はゲーム完勝の時間、番組、及び／又はチャネルを選択的にプログラミングするよう、プログラミング可能なチャネル／時間マトリクスを実施するＴＶ／ビデオ鑑賞監督システムについて記載する。
【０００５】
米国特許公開番号２００３／０１４５３２１は、概して、例えばセットトップボックスを介して、チャネルの選択を制御して、観賞のために示す方法及びシステムについて記載する。
【０００６】
米国特許公開番号２００３／００１４７５０は、概して、個々のタイトルを基に観賞可能なコンテンツへのアクセスを制御する方法及びシステムについて記載する。
【０００７】
ある特許文献、具体的に、国際特許公開ＷＯ９５１０９１６は、包括的に、ユーザがプログラムの観賞を制御することを可能にし、選択されたプログラムをブロックし又は有効にし、ユーザが圧縮符号を用いることによって観賞のために制御されるべきプログラムを指定することを可能にし、更に、プログラムにおける特定の場面の観賞をブロックすることを有効にするテレビ受像機について記載する。
【０００８】
かかる特許文献のほとんどは、主に極めて簡単なアプローチに焦点を当てる。このアプローチは、例えばピンコードのような、あるユーザ識別子の入力を可能にし、子供がＴＶを見ることができる場合には、例えば時間スロットのような、ある制限を指定する。
【０００９】
しかし、かかる特許文献のどれも、子供がマルチメディア端末（例えば、ＴＶ。）への制御されないアクセスを行うことを妨げることによって子供観賞を制限し、更には、例えばＤＶＤ／ＶＣＲ／ＨＤＤ／ＰＶＲ又は他の記憶メディア／再生装置のような、協働する装置の制御アクセスを制限するシステム並びに方法の使用について示していない。
【００１０】
このように、ユーザ又は管理者は、時間制限、存続期間制限、プログラム制限及びチャネル制限を含め、テレビを見るユーザのアクセスを制限する制限を指定することができる。管理者は、異なるユーザへの制限を指定（設定）する管理キーを有しても良い。ユーザは、テレビ受像機を作動させるユーザキーを有しても良い。ユーザ／管理者は、ユーザによるテレビジョンアクセスに関する情報が記憶される（ログファイル）よう指示し、何がアクセスされたかに関する方法を生成することができる。
【特許文献１】米国特許番号５，９６９，７４８
【特許文献２】米国特許番号６，０２５，８６９
【特許文献３】米国特許公開番号２００３／０１４５３２１
【特許文献４】米国特許公開番号２００３／００１４７５０
【特許文献５】国際特許公開ＷＯ９５１０９１６
【発明の開示】
【発明が解決しようとする課題】
【００１１】
従って、選択又は指定された時間が有効なコンテンツ（例えば、選択されたサービスリスト。）に関して経過した後に、ユーザがテレビ受像機又は同様のマルチメディア表示装置を見ることを妨げる、例えばテレビ受像機といったマルチメディア表示装置用のタイマシステムを提供することが極めて望まれる。
【００１２】
更に、選択又は指定された時間が１日の間の選択された（又は指定された）時間スロットの内に経過した後に、ユーザがテレビ受像機又は同様のマルチメディア表示装置を見ることを妨げる、例えばテレビ受像機といったマルチメディア表示装置用のタイマシステムを提供することが極めて望まれる。
【００１３】
更に、現在のイベント（又は代替的に“プログラム（番組）”）のテーマに基づいてチャネル（又は代替的に“サービス”）をブロックすることによって、ユーザがテレビ受像機又は同様のマルチメディア表示装置を見ることを妨げる、例えばテレビ受像機といったマルチメディア表示装置用のタイマシステムを提供することが極めて望まれる。
【００１４】
更に、（例えば、独立したプロバイダよってもたらされる視聴率データにより）イベントの視聴率に従ってあるイベント（プログラム）へのアクセスを有効にする又は妨げる、あるいは、観賞者の年齢、又は視聴率及び観賞者の年齢の組合せに従って、あるイベント（番組）を制限する又は妨げるマルチメディア表示装置用のシステムを提供することが極めて望まれる。
【００１５】
更に、実際のプログラム／イベントを見る場合に、又は記録する場合に宣伝コンテンツを除去するよう構成された機構を含む、指定された時間／コンテンツ制限に従ってＨＤＤ又はＤＶＤ／ＶＣＲ／ＰＶＲへのあるイベント（プログラム）の記録を可能にするマルチメディア表示装置用のシステムを提供することが極めて望まれる。
【課題を解決するための手段】
【００１６】
本発明の１つの態様は、テレビを見るユーザのアクセスを制限するよう１又はそれ以上のマルチメディア端末（例えば。マルチメディア・ホームプラットフォーム（ＭＨＰ）、セットトップボックス（ＳＴＢ）、パーソナルビデオレコーダ（ＰＶＲ）、ＴＶ又はＤＶＤプレーヤ。）に制限を指定する更なる機能を提供することによって、従来技術による観賞アクセス制御システムの欠点に対処することを目的とする。
【００１７】
ユーザ又は管理者は、親／管理者が制限を指定することを可能にする管理キー（例えば、ピンコード。）を有しても良い。かかる制限は、テレビ受像機へ、あるいは、その制限にのみ依存してユーザがテレビ受像機を使用することを可能にするユーザキーを有する特定のユーザへ適用され得る。かかる制限は、テレビが表示され得る時、又は、どれくらいの時間テレビが時間期間内に表示され得るか、を指定することができる。また、かかる制限は、何のサービス（チャネル）が指定される時間の間に表示され得るか、又は、どれくらいの時間指定されたサービスが時間期間内に表示され得るか、を指定することができる。また、かかる制限は、何のテーマ（即ち、アニメ、子供向け、スポーツ、映画、教育。）が指定された時間の間に表示され得るか、又は、どれくらいの時間指定されたテーマが時間期間内に表示され得るか、を指定することができる。多数の制限が同じユーザに関して設定されても良い。管理者は、ユーザのアクセスを監視するために、記憶されるべきユーザによるテレビジョンアクセスに関する情報を指定し、何がアクセスされたかの報告（例えば、表示タイトル、サービス、テーマ、時間及び時間期間。）を生成することができる。
【００１８】
このように、本発明の好ましい態様に従って、マルチメディア端末装置においてマルチメディアコンテンツの観賞の監督制御を可能にするシステム及び方法が提供される。当該方法は、観賞者が時間期間内にテレビを見ることができる時間を制御するための時間制約をインターフェース表示部を介して指定するステップと、前記時間期間内に前記観賞者が見ることができるコンテンツの観賞コンテンツ制限をインターフェース表示部を介して指定するステップと、前記マルチメディア端末を介する現在の放送コンテンツへの観賞者のアクセス、及び、記録された放送コンテンツを記憶する記録装置を介して前記観賞者によって前に記録されたコンテンツへのアクセスを監視するステップと、前記時間及び観賞コンテンツ制限を犯す前記観賞者の現在の又は記憶された放送コンテンツへのアクセスをブロックするステップとを有する。
【００１９】
有利に、本発明の“制御システム”のプログラミングは、例えばウェブインターフェースといった、如何なる他のインターフェースを介して実行されても良い。ＴＶ装置は、ネットワーク接続を有し、完全制御がブラウザを介して実行されるように、ウェブ制御されるインターフェースを実行する。無線接続さえ確立され得、遠隔制御は、また、例えば“Ｗｉ−Ｆｉ”接続を介して、動作することができる。ＴＶは、また、ＴＶが恒久的なインターネット接続を有しうる場合に、どこからでも遠隔に親によって制御され得る。即ち、親は、何を子供が見ているか、又は、何を子供が見たかといった統計値、何時間か、などをオンライン制御することができる。
【００２０】
更に、有利に、システムは、許容される時間のどれくらいが依然として利用可能であるかをユーザへ示す機構を設けられる。即ち、全てのユーザは、許容される時間のうちのどれくらい依然として利用可能であるかを見ることができ、それに基づいて、今後の計画を立て、例えば、全部ではなく、“最も望む”イベント／プログラムのみを選択することができる。
【発明を実施するための最良の形態】
【００２１】
本発明の目的、特徴及び利点は、添付の図面に関連して以下の詳細な記載を読むことで、当業者には明らかになるようであろう。
【００２２】
本発明は、ユーザが他人のマルチメディア観賞アクセスを制御することを可能にするＴＶタイマ制御システム及び方法を対象とする。例えば、親は子供の観賞アクセスを制御することができる。最初に図１を参照すると、本発明に従うプログラム（番組）観賞制御を組み込んだ、例えば家庭設置のための、テレビジョンシステム１０が表される。システム１０は、結合された、例えばテレビ受像機又は同様の映像表示モニタ１３ａ、ｂのような、１又はそれ以上のマルチメディア表示端末を有する。例えばフィリップスのＳｔｒｅａｍｉｕｍ（登録商標）製品のようなセットトップボックス１５への無線接続を介して、コンピュータ装置から無線接続されたＴＶ装置１３ａ、ｂへと受け取られるインターネットコンテンツを提供するよう、更なる能力を従来のセットトップボックス機能に与えることができる。例えば、システム遠隔制御装置を使用することによって、ユーザは、（ＴＶ）放送コンテンツからブロードバンドインターネットコンテンツへとテレビ観賞を切り換えることができる。例えばＩＥＥＥ８０２．１１ａ／ｂ／ｇ／ｎ標準に従って管理される無線技術のような、Ｗｉ−Ｆｉ技術を用いると、例えば、テレビ受像機は、また、家庭用コンピュータ３０に記憶された写真又は映像を提示するためにも使用され得る。
【００２３】
Ｗｉ−Ｆｉネットワークは、無線規格に従う通信信号搬送波を介して１又はそれ以上のセットトップボックス１５を１又はそれ以上のテレビ受像機１３ａ、ｂ及びインターネットと無線で接続するために、家庭用コンピュータ３０に結合された無線ハブ装置２２を有する。このように、システムは、無線リンクを介してテレビ受像機１３ａ、ｂへ映像コンテンツを流すよう構成される。ＴＶの使用に関する全てのデータは、セットトップボックス１５にローカル記憶され、与えられる機能は、ＴＶ装置がその使用状態に関する情報をやり取りすることを可能にする。
【００２４】
図１に表される実施形態で、例えばＤＶＤプレーヤ２８又は高密度ディスク（ＨＤＤ）レコーダ装置２９のような外部装置は、例えばＳｔｒｅａｍｉｕｍ（登録商標）装置のような、かかるローカルなセットトップボックスへ接続される。
【００２５】
表される実施形態におけるセットトップボックス１５は、例えば、テレビアンテナ２０、又はケーブル２５を介する伝送、又は直接放送衛星（ＤＢＳ）アンテナ及び衛星信号受信器（図示せず。）を介して、テレビ放送信号を受信可能な受信器である。更に、表されるように、システム１０において、セットトップボックス１５は、例えば、高ＨＤＤ装置２９、及び／又は、受け取ったマルチメディアコンテンツファイルの一時的な又は長期間の記憶のための、例えば、記録可能な光学メディア（例えば、ＣＤ、ＤＶＤ。）、磁気又は磁石光学メディア（例えば、ハード若しくはフロッピー（登録商標）ディスクドライブ）、ソリッドステートメモリなどを含む、テレビ番組を記録するための技術のような、他の高密度メディア記憶／レコーダ装置へ結合されており、更に、マルチメディア放送コンテンツを記録／再生するための、例えばＴｉＶｏ（登録商標）のような、デジタルメディア記録システムを有しても良い。かかる装置は、例えばＰ５０のような既存のプロトコルを介して扱われる通信を伴う標準的なケーブルを介して、ＳＴＢ１５及び／又はＰＣ３０とインターフェース接続されても良い。例えば、（一体化された又は別個のユニットでありうる）ビデオカセットレコーダ（ＶＣＲ）２３及びデジタルビデオディスク（ＤＶＤ）プレーヤ２８のような他の装置は、例えばＴＶ装置１３ａ、ｂへの有線又は無線送信のためにセットトップボックス１５を介してマルチメディアコンテンツ信号を送ることによって、随意的に音声及び映像信号をテレビ受像機／モニタ１３へ出力することができる。
【００２６】
当然、本発明の他の実施形態で、夫々の個々のＴＶセットは、ネットワーク、放送を介して使用に関する情報をやり取りするために本発明に従う制御機能を提供され得る。故に、夫々のＴＶセット１３ａ、ｂは、更新された使用情報を処理する。即ち、広い意味で、ユーザ／観賞者が１つのＴＶセットで時間制限の下にある場合、そのユーザが他のセットを用いてＴＶ番組を見続けることは不可能である。
【００２７】
２つの解決法があり得る。即ち、１）コンテンツが１つの中央の“ボックス”から派生する場合、これはシステムの中心点であり、それ自体マスターとしてシステムにおける全ての他のＴＶ／マルチメディア端末を制御することができる。更に、２）ＴＶは全て同等であり、使用に関する情報を交換している。
【００２８】
本発明に従う番組観賞並びにテレビ番組及びコンテンツの観賞制御は、セットトップボックス１５及び／又はＴＶ装置１３ａ、ｂで実行されるソフトウェアで具体化される制御システムによって与えられる。しかし、かかる機能は、例えば、テレビ受像機、ＰＶＲ（ＴｉＶｏ（登録商標）受信器）、コンピュータ又は計算装置３０、ＶＣＲなどを含む、テレビジョンシステムにおいてテレビ番組の観賞を監視可能なあらゆる装置で実施され得る。更に、テレビ観賞モニタ装置は、何の番組が別個の表示装置による観賞のためにアクセスされているかを検出する機能を装置が有する限り、テレビ番組の直接的な受信及び／又は観賞者への表示を行うことを必ずしも必要とされるわけではない。更に、見られるべきテレビ番組は、ＲＦ放送発信源と、ケーブルテレビ発信源と、衛星テレビ発信源と、ローカル又はワイドエリアネットワークのようなコンピュータネットワーク発信源、又はインターネット９９とを含むが、それらに限定されず、あらゆるソースから受信され得る。このように、本発明の一実施形態で、ユーザは、ウェブインターフェースを介してＴＶメニューにアクセスすることができる。
【００２９】
セットトップボックス１５自体は、プロセッサ又はＣＰＵ５０の制御下で動作する。プロセッサ又はＣＰＵ５０は、プロセッサによる実行に適したソフトウェア及び／又はファームウェアのアプリケーション、コンポーネント、プログラム、オブジェクト、モジュール、データ構造及びプログラムコードと、セットトップボックス１５の動作を制御する際にプロセッサによって必要とされる更なるデータ構造とを記憶するセットトップボックス１５の主記憶装置（図示せず）を含むランダムアクセスメモリ（ＲＡＭ）装置又は同等のメモリ記憶手段５１とインターフェース接続される。プロセッサ５０は、１又はそれ以上のプロセッサ（例えば、マイクロプロセッサ又はミクロコントローラ。）に相当しても良く、更に、例えば、キャッシュメモリ、不揮発性又はバックアップメモリ（例えば、プログラム可能又はフラッシュメモリ。）、読み出し専用メモリ（ＲＯＭ）等の、如何なる補助レベルのメモリを含んでも良い。更に、メモリは、例えば、プロセッサ５０内のいずれかのキャッシュメモリのような、セットトップボックス１５内のどこか別の場所に物理的に配置されたメモリ記憶装置、並びに、例えば、外部ネットワーク（図示せず。）を介してセットトップボックス１５へ結合された他のデータ処理システム又は大容量記憶装置に記憶されるような、仮想メモリとして使用される如何なる記憶容量をも含むと考えられ得る。
【００３０】
“制御システム”が、例えば、新たなマルチメディア・ホーム・プラットフォーム（Ｍｕｌｔｉｍｅｄｉａ  Ｈｏｍｅ  Ｐｌａｔｆｏｒｍ；ＭＨＰ）標準に従って、家庭向けのマルチメディアサービス（チャネル）を提供する場合、セットトップボックス１５は、全てのパックデジタルＴＶ、ＭＰ−３、ＤＶＤ、及び他のマルチメディアサービスのホストをシステムに組み入れる。このように、ＣＰＵ５０は、特定の動作システムを介して、ＳＴＢにおける全てのソフトウェア及びハードウェアモジュールを制御して、マルチメディア・ホーム・プラットフォームＭＨＰを有効にする。上記に加えて、これらは、映像／グラフィックエンジン、Ｊａｖａ（登録商標）仮想マシン（Ｊａｖａ（登録商標）  Ｖｉｒｔｕａｌ  Ｍａｃｈｉｎｅｓ；ＪＶＭｓ）、及びヒューマン・インターフェース・コンポーネントを含む。
【００３１】
動作において、知られるように、衛星ディスク、ケーブル、又はアンテナからのＲＦ入力は、チューナ／復調器（図示せず。）へ送られる。チューナ／復調器は、信号を、例えば、（インターネットから発せられた）ＭＰＥＧ−２ストリーム、ＭＰＥＧ−４ストリーム、又は同様のデジタルコンテンツストリームのような、デジタルＡ／Ｖストリームに復調する。デマルチプレクサは、ＭＰＥＧ−２をその映像、音声、サブタイトル、及びデータストリームに展開するよう機能する。ユーザに提示される前に、映像及び音声は、ハードウェア又はソフトウェアのいずれか一方のモジュールによって解凍される。通常トランスペアレントなバックグラウンドを含む画像ファイルである、サブタイトルデータは、ＳＴＢのオンスクリーン表示（Ｏｎ−Ｓｃｒｅｅｎ  Ｄｉｓｐｌａｙ；ＯＳＤ）への直接アクセスを有して専用の描画エンジン（図示せず。）へ送られる。データストリームは、例えば、システム情報、デジタル文字多重放送、又はＭＨＰデータオブジェクトのようなコンテンツに関して解析され、次いで、解釈及び／又は実行のためにハードウェア／ソフトウェアモジュールへ送られる。
【００３２】
本発明に従って、ＳＴＢは、本発明の好ましい実施形態に従って拡張された観賞アクセス制御を提供するために使用される例となるメニュー表示構成によりプログラミングされる。図２（ａ）に示される本発明に従って実施されるように、ユーザ又は管理者は、例えばウェブインターフェースのような、例となるメインメニュー表示インターフェース７５を介して、本発明に従ってＴＶ観賞／アクセス制御制限を実施するＴＶタイマメニュー選択肢８０を含むメインメニューを与えられる。図２（ｂ）に示されるように、ＴＶメニュー選択肢８０のアクセス時に、ユーザは、そのユーザの観賞／アクセス制御を認める前に適切な許可を与えるよう、エントリフィールド８５を介してパスワードを入力すると期待される。一実施形態で、ユーザは、ユーザ／管理者がＴＶ観賞／アクセス制御機能にアクセスし、本発明に従って観賞制限を指定することを可能にする管理キー（例えば、ピンコード。）の提供又は割当を受ける。１つの例となる状況で、ここに記載されるように、ユーザ／管理者は親であっても良く。その親の子供又は他の子供の観賞者に対する観賞制御を与える。ユーザが、本発明に従ってタイマ制御を実施するセットトップボックス制御装置をプログラミングする権限を有する者として認められた後、ユーザは、図２（ｃ）に示される管理者制御メニュー１００から制限を設定することを認められ得る。図２（ｃ）に示されるように、管理者制御メニュー１００は、１）コンテンツ選択メニュー選択肢１０３と、２）時間制約設定メニュー選択肢１０６と、３）記録メニュー選択肢１１０と、４）統計値（ｓｔａｔｉｓｔｉｃｓ）メニュー選択肢１１４とを介してＴＶ観賞制限機能を提供する。
【００３３】
図３（ａ）〜（ｆ）は、本発明に従う機能を提供するために、図２（ｃ）に表される例となるインターフェースを介して提供されるメニュー選択肢１００の選択に応答して、認容されたユーザ／管理者に提示される例となるメニュー表示インターフェースを表す。１つの例となる状況で、ユーザ／管理者は親であっても良く、その親の子供又は他の子供の観賞者に対する観賞制御を与える。
【００３４】
図３（ａ）及び（ｂ）は、夫々、本発明に従うコンテンツ選択制限を提供するために、図２（ｃ）のコンテンツ選択メニュー選択肢１００の選択に応答して、認容されたユーザ／管理者に提示される例となるメニュー表示インターフェース１２０、１２０′を表す。第１の態様で、図３（ｃ）のインターフェース１２０を介して提供されるコンテンツ選択制限オプションは、テレビ受像機のプログラミングに関するスクロール可能なリスト１３５を提供し、且つ、どの放送チャネルがユーザ観賞者に認められるかを選択／除外するための関連する選択ボックス１３６を表示する“許可チャネルの選択”メニュー選択肢１２５を含む。図３（ａ）のインターフェース１２０を介して提供されるコンテンツ選択制限メニューは、特定のサービス（チャネル）がブロックされている全ての表示を観賞部から除く機能を提供するか、あるいは、例えば、１〜Ｎ等の、かかる認容されたサービス／チャネルのみを列挙するよう、メニュー選択肢１２７を介して“隠れブロックサービス”オプションを有効／無効にするオプションを更に含む。図３（ａ）のインターフェース１２０を介して提供されるコンテンツ選択制限は、プログラミングから如何なる宣伝を見ることも、又は記録することも妨げるように、例えば、音声ボリューム基準に基づいて、宣伝を認識及び除去する機能を提供するよう、メニュー選択肢１２９を介して“宣伝フィルタ”オプションを有効／無効にするオプションを含む。かかる態様で、フィルタ処理される宣伝に観賞又は記録の間に遭遇する場合、観賞者のマルチメディア表示装置又は端末は、一時的に停止し、フィルタ処理される宣伝がブロックされている間、ユーザが待機することを示す可視的なダイアログを提示する。
【００３５】
図３（ｂ）は、本発明に従うコンテンツ選択制限を提供するために、図２（ｃ）のコンテンツ選択メニュー選択肢１００の選択に応答して、認容されたユーザ／管理者に提示される更なる例となるメニュー表示インターフェース１２０′を表す。かかる更なる態様で、図３（ｂ）のインターフェース１２０′を介して提供されるコンテンツ選択制限オプションは、テレビ受像機のプログラミングに関するスクロール可能なリスト１４３を提供し、且つ、どの放送イベント及びプログラミングテーマがユーザ観賞者に認められるかを選択／除外するための関連する選択ボックス１４６を表示する“許可テーマの選択”メニュー選択肢１３３を含む。図３（ｂ）のインターフェース１２０′を介して提供されるコンテンツ選択制限メニューは、ブロック年齢エントリフィールド１４２に示されるある年齢又はそれより年上の観賞者にのみ適したコンテンツを選択する機能を提供するよう、メニュー選択肢１３４を介する“ブロック年齢の選択”のためのオプションを更に含む。図３（ｂ）のインターフェース１２０′を介して提供されるコンテンツ選択制限は、ユーザ選択可能な又は入力される位置１４５で提供される視聴率サーバによって認識されるその視聴率に従ってプログラミングをロックアウトする機能を提供するよう、メニュー選択肢１３７を介する“視聴率サーバ（ｓｅｒｖｅｒ）の選択”のためのオプションを更に含む。図３（ｂ）のインターフェース１２０′を介して提供されるコンテンツ選択制限は、エントリフィールド１４７に入力される特定の“視聴率”に従ってプログラミングを認める機能を提供するよう、メニュー選択肢１３９を介する“視聴率によるイベント認容”のためのオプションを更に含む。フィールド“視聴率サーバの選択”及び“視聴率によるイベント認容”は、実際には結合される。“視聴率サーバの選択”の選択肢は、どの場所からイベントの視聴率が読み出されるべきかを指定するためにのみ、即ち、“視聴率サーバ”のソートのためにのみ使用される。“視聴率によるイベント認容”の選択肢は基本設定を与える。この場合、ユーザは、一定レベルのイベントを設定することができる、例えば、一つ星は非常に悪い番組を意味し、一方、五つ星は非常に優れた番組を意味する、等。
【００３６】
図３（ｃ）及び（ｄ）は、夫々、本発明に従う時間コンテンツ制限を提供するために、図２（ｃ）の設定される時間制約選択メニュー選択肢１０６の選択に応答して、認容されたユーザ／管理者に提示される例となるメニュー表示インターフェース１２１、１２１′を表す。
【００３７】
この更なる態様で、図３（ｃ）のインターフェース１２１を介して提供されるコンテンツ選択制限オプションは、ユーザ／管理者が設定される時間制限、即ち、観賞者の総観賞時間を入力することを可能にする“時間数”メニュー選択肢１５１を含む。例えば、エントリフィールド１７１に示されるように、特定の観賞者に関して１０時間の観賞時間の制限が示される。エントリフィールドを介して、ユーザ／管理者は、更に、日、週、又は月ごとの期間１７２に従って、設定される時間数を分けることができる。更なる“時間等分配”メニュー選択肢１５２は、ユーザ／管理者が、（エントリフィールド１７３を選択することによって、）観賞を制限する特定の“時間数”が指定される日、週、又は月ごとの期間１７２に従って等しく分けられるべきかどうかを指定することを可能にするよう設けられる。このように、子供は、メニュー選択肢１５２（図３（ｃ））からの“時間等分類”が選択されていない場合に、望むように、指定された時間を使用することができる。更なる“延長可能時間”メニュー選択肢１５４は、現在の“リアルタイム”イベントを見ている観賞者が、例えば、そのイベントが指定された時間制約を超える場合にそのイベントを見続けることができるように、時間制限設定がエントリフィールド１７４を選択することによって延長可能であるかどうかをユーザ／管理者が指定することを可能にするよう設けられる。かかる態様では、更に、あるパーセンテージ（Ｎ％）のイベント観賞時間が経過した後（例えば、５０％又は６０％。）に時間制限が延長され得ると指定することが可能である。いかに時間制約が分配されたか、又は延長可能であるかどうかに関係なく、ユーザ／管理者は、観賞者が、プログラミングされた制限に従って、ＴＶ番組を見ることに制約を受けるところの時間スロットを指定することができる。例えば、更なる“時間スロット指定”メニュー選択肢１５６は、ユーザの観賞制限が制約を受けるところの、例えば午前や午後など、特定の時間期間（スロット）をエントリフィールド１７６を介して入力することを可能にするよう設けられる。
【００３８】
図３（ｄ）は、本発明に従う時間コンテンツ制限を提供するために、図２（ｃ）の設定される時間制約選択メニュー選択肢１０６の選択に応答して、認容されたユーザ／管理者に提示される例となるメニュー表示インターフェース１２１′を表す。かかる更なる態様で、図３（ｄ）のインターフェース１２１′を介して提供される選択時間制約オプションは、何曜日に観賞時間は制限される必要がないかを選択／非選択ボックス１８０を介して指定するために提供される“許可日の指定”メニュー選択肢１６０を含む。いつ、どのように時間制約が分配されるか、又は、それらが延長可能であるかどうかに関係なく、ユーザ／管理者は、表示インターフェース１２０′のスクロール可能なリスト１４３で指定された許可テーマに従って、ＴＶ又は放送マルチメディアコンテンツを見ることに費やされ得る時間の割合（百分率）を指定することができる。このように、図３（ｄ）に示される例では、“詳細な時間使用”メニュー選択肢１６２を介して、ユーザ／管理者は、エントリフィールド１８２を介して、いかにユーザの総割当観賞時間がテーマに従って配当されるかを指定することができる。例えば、図３（ｄ）に示されるように、ユーザは、３０％の時間はアニメを、及び、７０％の時間は教育番組を見ることを認められる。
【００３９】
図３（ｅ）は、本発明に従う記録オプションを提供するために、図２（ｃ）の“記録”選択メニュー選択肢１１０の選択に応答して、認容されたユーザ／管理者に提示される例となるメニュー表示インターフェース１２２を表す。
【００４０】
かかる更なる態様で、図３（ｅ）のインターフェース１２２を介して提供される記録オプションは、割当時間制限を超えた現在の番組、例えば、特定の観賞者に関して指定される観賞時間の制限を超えた生放送の放送イベントを記録することを観賞者に認める更なる時間がその選択時に提供されるような選択／非選択ボックス１８３を含む“記録許可”メニュー選択肢１６３を含む。更なる“レコーダ”メニュー選択肢１６５は、更に、どの記録装置に更なるプログラミングが記録されるべきかを指定するエントリフィールド１８５を有するように与えられる。図３（ｅ）のインターフェース１２２を介して、更に、その選択時に観賞者が自身のＨＤＤ記録媒体に番組を記録することを認めるような選択／非選択ボックス１８６を含む“ＨＤＤ記録許可”メニュー選択肢１６６の表示が生ずる。更なる“ＨＤＤ”メニュー選択肢１６８は、更に、どのＨＤＤ記録装置にプログラミングが記録されるべきかを指定するエントリフィールド１８８を有するように与えられる。
【００４１】
図３（ｆ）は、本発明に従って、ユーザのアクセスを監視するために、アクセスしたもの（例えば、プレゼンテーションのタイトル、サービス（チャネル）、テーマ、時間及び時間期間。）の報告の後の発生のために記憶されたユーザによるテレビジョンアクセスに関する情報を特定するよう、図２（ｃ）の“統計値”選択メニュー選択肢１１４の選択に応答して、認容されたユーザ／管理者に提示される例となるメニュー表示インターフェース１２２′を表す。このように、“イネーブル統計値”メニュー選択肢１６７は、選択時に、システムに、後の報告のために制限された人物のＴＶ観賞利用に関する統計値を記録するよう命令するように、関連する選択／非選択ボックス１８７を有するよう提示される。更なる“履歴保持”メニュー選択肢１６９は、更に、制限された人物のＴＶ観賞利用に関する期間（例えば、３０日）、統計値及び他の情報が後の報告のために記録されるべきかを指定するエントリフィールド１８９を有するよう提示される。当然、認容されたユーザは、彼らの観賞統計値／利用について詳しく述べている情報を有するそれらのログファイルのいずれかへのアクセスを読み出していても良い。例えば、ユーザは、ウェブブラウザ又は同様のデバイス実施ＨＴＴＰ又は同様の通信プロトコルを使用することができうる。代替的に、ユーザログは、例えば、簡単なダイアログを介して、又は携帯電話を介して、又は、例えばＢｌｕｅｔｏｏｔｈ（登録商標）のような無線接続を介して、ＴＶにおいてアクセス可能であり得る。
【００４２】
図４は、本発明に従う、タイマ制御を実施するセットトップボックス装置を介してＴＶ観賞時間を制御するためのプロセスフロー２００を表す高度なフローチャートを提供する。
【００４３】
図４に示されるように、第１のステップは、他のＴＶ制御／制限設定が存在するかどうかに関わりなく、ステップ２０３で、現在のテレビ観賞者がテレビ番組を見る権限を有することを確認するステップである。観賞者の認証プロセスに関する詳細は、ここでは図５に関して記載される。観賞者がテレビを見ることを認められない場合、処理は、ステップ２０４で示されるように、ＴＶ装置の電源をオフにする。さもなければ、観賞者が、現在ＴＶ番組を見ることができると認められた後、処理はステップ２０６へ続き、ステップ２０６で、そのユーザ及び現在の時間に関して、制御機能をブロックするいずれかの時間制約が実施されたかどうかが判断される。観賞者の時間制約ブロックプロセスに関する詳細は、ここで図６に関して記載される。その時点でそのユーザに関して実施される時間制約ブロック機能が存在する場合、処理は、ステップ２０４で示されるように、ＴＶ装置の電源をオフにする。そのユーザに関して実施される時間制約ブロック機能が存在しない場合、処理はステップ２０７へ続く。ステップ２０７で、ステップ２０９で表されるようにマルチメディア／ＴＶ放送を実際に示す前に、その観賞者によって見られるよう意図される現在のコンテンツが認容されるかどうかが判断される。現在の観賞者が現在のコンテンツを見ることを許されるかどうかの判断に関する詳細は、ここで図７に関して記載される。現在の観賞者が現在のコンテンツを見ることを許されると判断される場合、処理はステップ２０９へ続く。ステップ２０９で、マルチメディアプログラムは表示のために提示される。さもなければ、現在の観賞者が現在のコンテンツを見ることを許されないと判断される場合、処理はステップ２０８へ続く。ステップ２０８は、現在のマルチメディアプログラムの提示をブロックするための処理ステップである。現在の観賞者が現在のマルチメディアプログラミングを見ることを許されているか否かに関わらず、処理はステップ２１１へ続く。ステップ２１１で、現在のユーザが外部ソースから自身の記録コンテンツを再生しようと試みているかどうかが判断される。ユーザがユーザ自身の記録コンテンツを再生することを望んでいるかどうかの判断に関する詳細は、ここでは図８に関して記載される。現在の観賞者が自身の記録コンテンツを見ようと試みているとステップ２１１で判断される場合、処理はステップ２１２へ続く。ステップ２１２は、選択された外部ソース（例えば、ＤＶＤ。）から選択されたコンテンツを再生するステップである。次いで、処理はステップ２１６へ続く。ステップ２１６で、モニタ機能は、制御の順守を確実にするようＴＶ観賞システムにおける装置の更なる使用を監視するために実行される。さもなければ、現在の観賞者が自身の記録コンテンツを見ようと試みていないとステップ２１１で判断される場合、処理はステップ２１３へ続く。ステップ２１３で、更に、再生されるべきコンテンツがＨＤＤから供給されるかどうかが判断される。再生されるべきコンテンツがＨＤＤからかどうかを判断するための処理フローに関する詳細は、ここでは図９に関して記載される。ステップ２１３で、再生されるべき現在のコンテンツがＨＤＤからであると判断される場合、処理はステップ２１２へ続く。ステップ２１２で、選択されたコンテンツは再生される。さもなければ、ステップ２１３で、再生されるべき現在のコンテンツがＨＤＤからではないと判断される場合、処理は監視ステップ２１６へ続く。監視ステップに関する詳細は、ここでは図１０に関して記載される。
【００４４】
図５は、本発明に従って、ユーザがテレビ受像機の電源をオンにする場合に本発明のシステムによって実行されるユーザログイン処理フロー２０３を説明する例となる高度なフローチャートを提供する。図５に示されるように、次のステップ２２２で、ユーザ／観賞者は、自身のピンコードを入力するよう求められる。ステップ２２４で、ピンコードは、例えばルックアップテーブルのような従来手段によって確認される。ユーザがステップ２２４で認定される場合、処理は、図２に示されるようにユーザに初期画面を示すよう、ステップ２２６へ続く。ステップ２２４で判断されるようにユーザが認定ユーザでない場合、処理はステップ２３２へ続く。ステップ２３２で、エラーダイアログ画面が提示される。次のステップ２３０へ続き、更なるピンコード入力試行が認められる場合、処理は、ユーザが自身のピンコードを再入力し、処理が繰り返すように、ステップ２２２へ戻る。さもなければ、ステップ２３０で、更なるピンコード入力が許されない場合、処理はステップ２２８へ続く。ステップ２２８で、終了（ｇｏｏｄｂｙｅ）ダイアログが表示され、ユーザ／観賞者は認容されなかったと考えられる。
【００４５】
図６は、本発明の例となる実施形態における観賞者の時間制約ブロック処理２０６を表す高度なフローチャートを提供する。図６に表される処理で、システムは、ユーザの時間制約がブロックされていないかどうかを確認する。このように、最初のステップ２３５に示されるように、現在の日付が有効とされているかどうか、即ち、その日がかかる観賞者に関してプログラミングされた許容された日付（図３（ｄ）参照。）であるかどうかが判断される。現在の日付が有効とされている場合、処理はステップ２３６へ続く。ステップ２３６で、更に、時間スロット設定が予めプログラミングされたように（図３（ｃ）参照。）ブロックされるかどうかが判断される。現在の時間スロットがブロックされていない場合、処理はステップ２３８へ続く。ステップ２３８で、時間割当が依然として利用可能であるかどうかが判断される。時間が依然として現在の観賞者に関して割り当てられる場合、処理はステップ２４１へ続く。ステップ２４１は、ＴＶブロッキングが実行不要であることを示す。
【００４６】
ステップ２３５へ戻り、現在の日付が有効とされていないと判断される場合、あるいは、ステップ２３６へ戻り、時間スロット設定がブロックされると判断される場合、あるいは、ステップ２３８へ戻り、時間割当が利用可能でないと判断される場合、処理はステップ２３９へ続く。ステップ２３９で、延長可能な“時間”設定がかかる観賞者に関してプログラミングされていると判断される場合、処理は、かかる観賞者に関して現在の使用統計値を確認するよう（図３（ｆ）参照。）２４０へ続き、その後、ステップ２４５へ続く。ステップ２４５で、更に、ユーザが、かかる現在の観賞セッションの間、現在のイベントのうちのＮ％（例えば、５０％。）よりも多くを見たかどうかを判断する。ユーザが現在のイベントのうちのＮ％よりも多くを見たと判断される場合、処理はステップ２４９へ続く。ステップ２４９で、ダイアログは、現在の時間制限が超えられたが、システムはユーザが終了までイベントを見ることを可能にする旨を表示する。このように、処理は、ＴＶブロッキングが実行されないことを示すステップ２４１へ続く。さもなければ、ステップ２３９へ戻り、延長可能な“時間”設定がかかる観賞者に関してプログラミングされていないと判断される場合、あるいは、ステップ２４５に戻り、ユーザが現在のイベントのＮ％よりも多くを見ていないと判断される場合、処理はステップ２４７へ続く。ステップ２４７は、制限ダイアログの表示を示す。その後、処理はステップ２５０へ続く。ステップ２５０で、記録設定がかかる観賞者に関して有効であるかどうか（図３（ｅ）参照。）が判断される。記録設定が有効でない場合、処理はステップ２５８へ続く。ステップ２５８は、現在の番組の更なる観賞又は記録を妨げるよう番組をブロックするステップである。さもなければ、ステップ２５０で、記録設定が有効であると判断される場合、処理はステップ２５２へ続く。ステップ２５２で、ダイアログは、例えば、認容された外部記録装置を介して、イベントの記録を行う利用可能性を、観賞者に気付かせるよう表示される。ステップ２５４で、記録が開始されたかどうかが判断される。記録が開始されない場合、処理はステップ２５８へ続く。ステップ２５８は、現在の番組の更なる観賞又は記録を妨げるよう番組をブロックするステップである。さもなければ、ユーザが記録オプションを選択したとステップ２５４で判断される場合、処理はステップ２５６へ続く。ステップ２５６で、現在の番組記録が開始される。その後、処理は、観賞者ブロックを有効にするステップ２５８へ続く。
【００４７】
図７は、本発明の例となる実施形態において、現在のコンテンツ（コンテンツサービス）がブロッキングであるかどうかを確認するためのシステム処理２０７を表す高度なフローチャートを提供する。図７に表される処理で、最初のステップ２６０は、例えば、管理者によって提供されるリストに基づいて有効なチャネル／サービスへ切り換えることによって、サービスを選択するステップを含む。例えば、ユーザは、図３（ａ）の“許可チャネルの選択”エントリセクションで挙げられている番組へ進むことができる。最初のサービスを読み出した後、ステップ２６２で、現在のコンテンツが有効であるかどうかが判断される。現在のコンテンツが有効でない場合、処理はステップ２７３へ続く。ステップ２７３は、現在のコンテンツがブロックされることを表す。さもなければ、ステップ２６２で、現在のコンテンツが有効である場合、処理は、ユーザの年齢が、図３（ｂ）の“ブロック年齢の選択”セクションにおいて親／管理者によって予め指定されるようにブロッキングであるかどうかを判断するよう、ステップ２６４へ続く。ユーザの現在の年齢が、ブロッキングが有効にされることを要する年齢である場合、処理はステップ２７３へ続く。ステップ２７３は、現在のコンテンツがブロックされることを表す。さもなければ、ステップ２６４で、現在の年齢がブロックでない場合、処理はステップ２６５へ続く。ステップ２６５で、ソースからのイベントが読み出される。次いで、処理は、イベント視聴率が、図３（ｂ）の“視聴率によるイベント認容”セクションにおいて親／管理者によって予め指定されるようにコンテンツがブロックされることを求められる程であるかどうかを判断するよう、ステップ２６６へ続く。イベントが、ブロッキングが有効にされることを必要とするような視聴率を有する場合、処理はステップ２７３へ続く。ステップ２７３は、現在のコンテンツがブロックされることを表す。さもなければ、ステップ２６６で、視聴率が、ブロッキングが有効にされることを必要としないものである場合、処理は、宣伝フィルタリング機能が、図３（ａ）の“宣伝フィルタ”セクションにおいて親／管理者によって予め指定されるように有効にされるべきかどうかを判断するよう、ステップ２６７へ続く。宣伝フィルタが有効にされる場合、処理は、宣伝検出フィルタをオンするためにステップ２６８へ続く。さもなければ、ステップ２６７で、宣伝フィルタが有効にされない場合、処理はステップ２７５へ続く。ステップ２７５は、現在のコンテンツが表示されることを可能にするステップを表す。ステップ２６８へ戻り、宣伝検出が有効にされた後、処理はステップ２７０へ続く。ステップ２７０で、宣言が現在放送されているかどうかが判断される。宣伝が現在放送されていない場合、処理はステップ２７５へ続く。ステップ２７５は、現在のコンテンツが表示されることを可能にするステップを表す。さもなければ、ステップ２７０で、宣伝が現在放送されていると判断される場合、処理はステップ２７３へ続く。ステップ２７３は、現在のコンテンツがブロックされることを表す。
【００４８】
図８は、本発明の例となる実施形態において、現在の観賞者が自身の記録コンテンツを再生している場合に使用されるシステム処理２１１を表す高度なフローチャートを提供する。図８に表される処理で、システムは、外部コンテンツが存在し（予め記録されており）、且つ、再生され得るかどうかを確認する。このようにして、ステップ２８０で、外部ソースの利用可能性を決定するよう確認が行われ、ステップ２８２で、記録されたコンテンツを有するソースが存在するかどうかが判断される。記録されたコンテンツを有するソースが存在しないとステップ２８２で判断される場合、処理はステップ２９７へ続く。ステップ２９７は、如何なる外部ソースの再生／提示も回避（バイパス）するステップを表す。さもなければ、ステップ２８２で、記録されたコンテンツを有するソースが存在すると判断され、次いで、処理はステップ２８３へ続く。ステップ２８３は、現在のユーザによって行われる記録の全てを確認するよう、且つ、外部ソース（メディア）における現在のコンテンツがリストに存在することを確認するよう、ローカルな記録データベースを読み出すステップを表す。当然、システムは、現在の時間制約に抵触しない記録のリストをそのユーザに関して生成する機能を提供する。このように、ユーザが依然として１時間の許可された時間を有する場合、例えば、システムは、１時間よりも短い存続期間を有する記録しか与えない。
【００４９】
ステップ２８５へ進み、外部コンテンツが現在のユーザによって記録されていないことが判断される場合、処理はステップ２９７へ続く。ステップ２９７は、如何なる外部ソースの再生／提示も回避（バイパス）するステップを表す。さもなければ、外部コンテンツが現在のユーザによって記録されたとステップ２８５で判断される場合、処理はステップ２８８へ続く。ステップ２８８は、如何なる既存の時間制約も適用可能であるかどうか、及び、更に、記録されたイベントの存続期間が実施される現在の時間制約に抵触しないかどうかを確認するステップを表す。ステップ２９０に進み、いずれかの時間制約がブロッキングである（目下有効である）かどうかが判断される。時間制約がブロッキングである場合、処理はステップ２９７へ続く。ステップ２９７は、如何なる外部ソースの再生／提示も回避（バイパス）するステップを表す。さもなければ、時間制約がブロックではないとステップ２９０で判断される場合、ダイアログは、番組（記録されたコンテンツ）の再生／提示を有効にするよう観賞者に対する提案を与えられる。
【００５０】
図９は、本発明の例となる実施形態において、再生されるべきコンテンツがＨＤＤからであるかどうかを判断するために使用されるシステム処理２１３を表す高度なフローチャートを提供する。最初のステップ３００に示されるように、外部ソースの利用可能性を確認するステップが表される。次いで、ステップ３０３で、ソースが存在し、図３（ｅ）の“記録許可”セクションにおいて親／管理者によって有効にされるかどうかが判断される。ソースが存在しない場合、処理はステップ３２３へ続く。ステップ３２３で、表示されるべきものは何もないと判断される。さもなければ、ステップ３０３で、ソースが存在し、且つ、親／管理者によって有効にされると判断される場合、処理はステップ３０６へ続く。ステップ３０６は、ＨＤＤを読み出して、（例えば、タイトルによって）現在のユーザに関して全ての記録されたイベントのリストを発生させるステップを表す。次いでステップ３０９へ進み、更に、いずれかの記録が存在するかどうかが判断される。記録が存在しない場合、処理はステップ３２３へ続く。ステップ３２３で、コンテンツが記録されていないので、表示されるべきものは何もないと判断される。さもなければ、ステップ３０９で、記録が存在すると判断される場合、処理はステップ３１２へ続く。ステップ３１２は、ユーザ提示ダイアログにおいてリストを表示して、ユーザによるコンテンツの選択を待つ機能を生じさせる。ステップ３１２においてユーザによる記録コンテンツの選択を受け取ると、処理はステップ３１４へ続く。ステップ３１４で、いずれかの時間制約が選択されたイベントをブロックしているかどうかが判断される。時間制約が選択された記録イベントをブロックしていないとステップ３１４で判断される場合、処理はステップ３２７へ続く。ステップ３２７は、選択されたイベントが再生されることを示すユーザダイアログの提示を生じさせる。さもなければ、時間制約が選択された記録イベントをブロックしているとステップ３１４で判断される場合、処理はステップ３１７へ続く。ステップ３１７は、実施されるべき時間制約を示すユーザダイアログの提示を生じさせる。ステップ３２０へ進み、更なるダイアログは、ユーザが新しい記録されたイベントを選択することを望むかどうかを決定するよう提示される。ユーザが新しい記録されたイベントを選択したいと望む場合、処理は、ユーザが選択することができる記録されたイベントのリストを表示するようステップ３１２へ続き、処理は繰り返す。さもなければ、ユーザが新しいイベントを選択したいと望まないとステップ３２０で判断される場合、ステップ３２３で示されるように、何も再生されない。
【００５１】
このように、他の制御システム特性は、ＨＤＤレコーダを接続したユーザを対象とする。明らかなように、図１に表されるシステムを介して、バックグラウンド処理は、有効なコンテンツに関するユーザ／管理者指示に従う場合にのみ、いつでも（即ち、常に）リアルタイムの記録に対して実行され得る。宣伝に対するフィルタが有効にされる場合、子供は、中断を伴わずに連続して（例えばＨＤＤからの）イベントを見ることができる。更に、しかし、ユーザがＴＶをオンする場合、制御システムは、ＨＤＤに存在する更なる記録の存在の通知（例えば、タイトルのリスト。）を受け取る。従って、時間制約の実施を伴う場合でさえ、認容されたユーザが日／週の全体から全ての関心のあるイベントを見ることができ、それらの１つも見逃さない可能性が依然として存在する。ＨＤＤは全てのイベントを記録することができないので、システムが“ほぼ確実に望まれるイベント”を取得しても良い場合、システムは更に自己適応性を有する。このように、本システムにおいてＨＤＤレコーダは全てのチャネルからあらゆるものを記録することができると推測される。即ち、ユーザが毎日７時にニュースを見る場合、システムは学習し、その設定時間にかかるニュース番組をいつも記録することができる。ユーザがその番組を見逃す場合、システムは、そのユーザのためにかかる番組を記録している。従って、ユーザがシステム提示メニューにおいて“ＨＤＤ記録許可”（図３（ｅ）参照。）を選択した場合、これは、実際には、ＨＤＤの“キャッシング”を有効にする。即ち、システムは、バックグラウンドにおいて自動的に、指定されたコンテンツ状態（図３（ａ）及び（ｂ）参照。）に従う全てのイベントを記録しようと試みる。このように、本発明に従う自己適応特性は、どのコンテンツが、図３（ａ）及び（ｂ）で提供されるコンテンツ選択メニューで示されるのと同じ方法で指定されるコンテンツを有して記録されるべきかをユーザが指示することを可能にする機能をＨＤＤレコーダに与える。ＨＤＤは、自動的にバックグラウンドでかかる記録を実行しうる。現在の技術は全てのものの記録を可能にしない。これは、例えば、かかる装置が、１つのチューナを有し、代替の場合、十分な記憶容量を有さないためである。故に、結果として得られる可能性は２つある。１）ＨＤＤは、何をユーザが好きか（即ち、見たか）に基づいてイベントを自動的に（ランダムに）記録し、あるいは、それは、より多くのそのような種類の番組を記録するよう自身を適応させうる。あるいは、２）例えばアニメ及び教育といった、２つのテーマが有効にされる場合、子供はアニメをより多く見るので、システム（ＨＤＤ）は、教育番組よりむしろ、より多くのそのような種類（アニメ）の番組を記録しうる。
【００５２】
図１０は、いずれかの形式のブロッキングが生じるべきかどうかを判断するために使用されるシステム監視プロセスを表す高度なフローチャートを提供する。このシステムは、１．例えば遠隔制御を介して、サービスを選択する全ての“切り換え”、２．例えば１分ごとに１度といったように、周期的に、３．（宣伝検出がオンにされる場合に）全てのコンテンツ変更、及び／又は、４．如何なるイベント変更においても、その後に実行されるべきである。図１０に表されるように、最初のステップ４００は、そのユーザに関して時間制約ブロッキングが存在するかどうかの判断であり、図６に表されるフロー処理を実施する。時間制約ブロッキングが存在する場合、マルチメディアコンテンツは、ステップ４０８に示されるように、例えばＴＶをオフすることによって、ブロックされる。さもなければ、時間制約ブロッキングが存在しない場合、処理はステップ４０６へ続く。ステップ４０６は、そのユーザに関していずれかのコンテンツ制約ブロッキングが存在するかどうかの判断であり、図７に表されるフロー処理を実施する。コンテンツ制限が存在する場合、マルチメディアコンテンツは、ステップ４１２で示されるようにブロックされる。さもなければ、判断されるコンテンツ制限がない場合、処理はステップ４１０へ続く。ステップ４１０は、マルチメディアコンテンツの提示を有効にする処理である。
【００５３】
このように、本発明の様々な例となる実施形態に従って：
１．セットトップボックス及び／又は１若しくはそれ以上のマルチメディア表示装置は、所与の時間の間に特定のチャネルへのアクセスを可能にする“制御システム”を提供するようプログラミングされる。例えば、親は、どれくらいの時間子供が特定の教育チャネルを見るかといったことは気にしないが、特定のエンターテイメントチャネルへのアクセスを１日１時間に制限することを望むことがある。このように、本発明の制御システムは、更に、例えば、あるチャネルが“時限及び／又はコンテンツ規則”を伴わずに見られることを可能にするよう、あるいは、ある“テーマ”が“時限規則”を伴わずに見られることを可能にするよう、多数の排除規則を付加又は定義する可能性を提供される。従って、排除“リスト”は、如何なる制限されないテーマ又はサービスも定義するよう与えられ得る。
【００５４】
２．セットトップボックス及び／又は１若しくはそれ以上のマルチメディア表示装置は、所与の時間期間の間に番組レベルでアクセスを可能にするようプログラミングされる。例えば、親は、子供に対して、特定の番組に関して毎日１つのエピソードに制限することを望むことがある。
【００５５】
３．セットトップボックス及び／又は１若しくはそれ以上のマルチメディア表示装置は、例えば、例えば５分といった時間スロットの終了の前の所定時点で表示（例えば、バナー。）を開始するよう、ロック状態の終了を検出するようプログラミングされる。
【００５６】
４．セットトップボックス及び／又は１若しくはそれ以上のマルチメディア表示装置は、更に、ＨＤＤ／ＤＶＤ／ＶＣＲ／ＰＶＲのような付随する装置を制御するようプログラミングされる。従って、時間スロットの終了時に、ユーザは、例えばＤＶＤに記録することによって、イベントの残りが割り当てられた時間スロットを超える場合、その残りを記録することができる。記録されたコンテンツは、次の可能な時間スロットが使える状態にある場合にのみ見られうる。
【００５７】
５．セットトップボックス及び／又は１若しくはそれ以上のマルチメディア表示装置は、更に、ウェブインターフェースを含むいずれかの他のインターフェースを介して“制御システム”のプログラミング命令を受け取るようプログラミングされる。ＴＶ（又は、関連するセットトップボックス）は、ネットワーク接続を保持し、完全制御がブラウザを介して実行されるように、ウェブ制御されるインターフェースを実行する。無線接続さえ確立され得、遠隔制御は、また、例えばＷｉ−Ｆｉを介して、動作することができる。ＴＶは、また、ＴＶが恒久的なインターネット接続を有しうる場合に、どこからでも遠隔に親によって制御され得る。即ち、親は、何を子供が見ているか、又は、何を子供が見たかといった統計値、何時間か、などを、ブラウザインターフェースを介してオンライン制御することができる。従って、ユーザが高速インターネット接続を有する場合、それは、例えば、監督者が如何なるイベントの記録もスケジューリングすることを可能にし、監督者がシステムの設定を変更することを可能にし、監督者が、何を子供が現在見ているか（単純な映像伝送。）をブラウザを介して見ることを可能にし、監督者が現在のユーザへメッセージを送ること（例えば、ユーザは統計的に携帯電話でＳＭＳを受信すること、など。）を可能にする。
【００５８】
６．セットトップボックス及び／又は１若しくはそれ以上のマルチメディア表示装置は、更に、例えば、週に７時間又は１日に１時間といったように、子供の観賞時間を制限するための“制御システム”のプログラミング命令を受け取るようプログラミングされる。従って、例えば、親は、子供のテレビへのアクセスに関する制限を、例えば、放課後の午後７時から１０時までのみで、且つ、週に１６時間のみ、更に、ＴＶチャネル３、５、７、２７、５４のみで、且つ、午後９時以降はチャネル７をブロックする、といったように指定することができる。他の例で、例えば、子供が１日に２時間のみ、且つ、月曜日には１時間のみ、且つ、週末の間は６時間のみアニメを見られるようにする観賞制限を行うことが可能である。子供は、許可された時間の間に、許可されたサービスの間を切り換えることができる。
【００５９】
７．セットトップボックス及び／又は１若しくはそれ以上のマルチメディア表示装置は、更に、現在のイベントのテーマに基づいて子供によるショー／イベントの観賞を制限するための“制御システム”のプログラミング命令を受け取るようプログラミングされる。例えば、親は、子供が“教育”及び“アニメ”といった種類のテーマのイベントのみを毎日１時間しか見られないようにすることによって、子供の観賞アクセスを管理することができる。即ち、フィルタリング機構は、子供が、イベントが許可されたテーマを有して存在するところのチャネルしか見られないようにするよう提供される。一実施形態において、かかるイベントはソートされて、前もって設定された１からＮまでアクセス可能である。更にこれのために、システムは、ユーザが、例えば“アニメ”及び“教育”といった、あるイベントテーマのうちのどれくらいが、即ち、どういった割合で、許可されるかを詳細に指定する可能性を与える。
【００６０】
８．セットトップボックス及び／又は１若しくはそれ以上のマルチメディア表示装置は、更に、柔軟な設定をプログラミングするための“制御システム”のプログラミング命令を受け取るようプログラミングされる。故に、現在のイベントが許可された時間よりも長い時間を要する場合、子供は、終了まで、そのイベントを依然として観賞又は記録することができる。従って、例えば、親は、終了まで現在のイベントを見られる可能性を与える“柔軟な”設定を与えることができる。例えば、現在のイベントが１時間よりも長い時間を要し、かかるイベントが目下残り１時間の制限を超える場合、子供は、（例えば、子供が既にイベントの最小限５０％を見ている場合など、幾つかの状況下に限って、）依然として、終了までかかるイベントを見ることを許される。これに関連して、タイムアウトが起こる場合（即ち、子供が許可された時間よりも長くＴＶを見る場合。）、いずれかの接続されたメディア記憶装置（ＨＤＤレコーダ）へイベントを記録する可能性が依然として残る。
【００６１】
従って、例えば、ダイアログは、メディア記憶装置にイベントを記録して、それを子供に提示するよう、質問を有して表示することができる。子供が次の日にＴＶを見始めると、システムは、記録された部分を子供へ提示する。複数のＴＶ及び／又はマルチメディア表示装置を含む、家庭における例となるホームネットワーク状態で、システムは、時間又はコンテンツの制限が実質的に置かれた後、子供が他のＴＶでＴＶを見続けることができないように、全てのＴＶの間での情報の交換を提供する。
【００６２】
９．セットトップボックス及び／又は１若しくはそれ以上のマルチメディア表示装置は、更に、例えば音量を基に宣伝を認識するようプログラミングされ、ＴＶは、例えば、如何なる宣伝も伴わずにコンテンツを記録するために、ハードディスクデバイス（Ｈａｒｄ  Ｄｉｓｃ  Ｄｅｖｉｃｅ；ＨＤＤ）を備えても良い。即ち、親は、如何なる宣伝を見ることも認めないオプションを設定することができる。
【００６３】
１０．セットトップボックス及び／又は１若しくはそれ以上のマルチメディア表示装置は、更に、観賞者の年齢に基づいてコンテンツの観賞をブロックするよう、あるいは、例えばインターネットを介して、外部又は第三者機関を介して提供されるような視聴率データに基づいてコンテンツの観賞をブロックするようプログラミングされる。
【００６４】
１１．ＭＨＰ、又は双方向性のその他形態に関して、テレビジョン装置でアプリケーションを実行する可能性が存在する。（アプリケーションのような）ある双方向コンテンツは（有効な）コンテンツ規則を破ることが可能である。従って、明らかなように、本発明の制御システムは、“コンテンツ選択”を基に（“Ｘｌｅｔ”又は、ＴＶウェブブラウザを用いるウェブサイトのような）双方向性にフィルタをかける機能、あるいは、かかる双方向性を完全にオフする可能性を与える。システムは、更に、“双方向”コンテンツにフィルタをかけるか、あるいは、例えば、宣伝を与えるＸｌｅｔ、ゲームを伴うＸｌｅｔなど、“コンテンツ選択”に基づいてかかるコンテンツにフィルタをかけても良い。このように、システムは、例えば、“文字多重放送”ページ、デジタルＴＶ向けのＭＨＥＧページなど、全ての双方向コンテンツにフィルタをかけるよう更なる機能を有する。
【００６５】
本発明の好ましい実施形態と考えられるものについて図示及び記載してきたが、当然、形態又は形状における様々な変形及び変更が、本発明の技術的範囲を逸脱することなく容易に行われ得ることは明らかである。従って、本発明は、記載又は図示された正確な形態に限定されず、添付の特許請求の範囲の適用範囲内にある全ての変形例を網羅すると解釈されるべきである。
【図面の簡単な説明】
【００６６】
【図１】本発明に従う、タイマ制御を実施するテレビジョンシステムの高度なブロック図を表す。
【図２】（ａ）〜（ｃ）は、例となるメインメニュー表示インターフェース７５を介して、本発明に従う機能を与えられたメニュー選択肢を選択時に与える、ユーザに対してＴＶ観賞機能を制御する（ＴＶタイマメニュー選択肢８０を含む）ユーザ又は管理者のインターフェースを表す。
【図３（ａ）】本発明に従うコンテンツ選択制限を提供するために、図２（ｃ）のコンテンツ選択メニュー選択肢１００の選択に応答して、認容されたユーザ／管理者に提示される例となるメニュー表示インターフェース１２０を表す。
【図３（ｂ）】本発明に従うコンテンツ選択制限を提供するために、図２（ｃ）のコンテンツ選択メニュー選択肢１００の選択に応答して、認容されたユーザ／管理者に提示される例となるメニュー表示インターフェース１２０′を表す。
【図３（ｃ）】夫々、本発明に従う時間コンテンツ制限を提供するために、図２（ｃ）の設定される時間制約選択メニュー選択肢１０６の選択に応答して、認容されたユーザ／管理者に提示される例となるメニュー表示インターフェース１２１を表す。
【図３（ｄ）】夫々、本発明に従う時間コンテンツ制限を提供するために、図２（ｃ）の設定される時間制約選択メニュー選択肢１０６の選択に応答して、認容されたユーザ／管理者に提示される例となるメニュー表示インターフェース１２１′を表す。
【図３（ｅ）】本発明に従う記録オプションを提供するために、図２（ｃ）の“記録”選択メニュー選択肢１１０の選択に応答して、認容されたユーザ／管理者に提示される例となるメニュー表示インターフェース１２２を表す。
【図３（ｆ）】本発明に従って、ユーザのアクセスを監視するために、アクセスしたもの（例えば、プレゼンテーションのタイトル、サービス（チャネル）、テーマ、時間及び時間期間。）の報告の後の発生のために記憶されたユーザによるテレビジョンアクセスに関する情報を特定するよう、図２（ｃ）の“統計値”選択メニュー選択肢１１４の選択に応答して、認容されたユーザ／管理者に提示される例となるメニュー表示インターフェース１２２′を表す。
【図４】本発明に従う、タイマ制御を実施するセットトップボックス装置を介してＴＶ観賞時間を制御するためのプロセスフロー２００を表す高度なフローチャートを提供する。
【図５】本発明の例となる実施形態におけるユーザログイン処理フロー２０３を説明する例となる高度なフローチャートを提供する。
【図６】本発明の例となる実施形態における観賞者の時間制約ブロック処理２０６を表す高度なフローチャートを提供する。
【図７】本発明の例となる実施形態において、現在のコンテンツ（コンテンツサービス）がブロッキングであるどうかを確認するためのシステム処理２０７を表す高度なフローチャートを提供する。
【図８】本発明の例となる実施形態において、現在の観賞者が自身の記録コンテンツを再生している場合に使用されるシステム処理２１１を表す高度なフローチャートを提供する。
【図９】本発明の例となる実施形態において、再生されるべきコンテンツがＨＤＤからであるかどうかを判断するために使用されるシステム処理２１３を表す高度なフローチャートを提供する。
【図１０】本発明の例となる実施形態において、ユーザを監視して、ブロッキングが生ずるべきどうかを判断するために使用されるシステム監視プロセスを表す高度なフローチャートを提供する。
【図１】
2009503917.tif 000003
【図２Ａ】
2009503917.tif 000004
【図２Ｂ】
2009503917.tif 000005
【図２Ｃ】
2009503917.tif 000006
【図３Ａ】
2009503917.tif 000007
【図３Ｂ】
2009503917.tif 000008
【図３Ｃ】
2009503917.tif 000009
【図３Ｄ】
2009503917.tif 000010
【図３Ｅ】
2009503917.tif 000011
【図３Ｆ】
2009503917.tif 000012
【図４】
2009503917.tif 000013
【図５】
2009503917.tif 000014
【図６】
2009503917.tif 000015
【図７】
2009503917.tif 000016
【図８】
2009503917.tif 000017
【図９】
2009503917.tif 000018
【図１０】
2009503917.tif 000019
【国際調査報告】
2009503917.tif 000020
2009503917.tif 000021
2009503917.tif 000022